(57)【特許請求の範囲】
【請求項１】
地上デジタル放送受信機において、
所定周波数間隔の各チャンネルを選局し、その各チャンネル毎の信号レベルを検出し、その検出した信号レベルが予め設定されている所定の第１の閾値以上であるチャンネルを検出するチャンネルスキャンを実行するチャンネルスキャン手段と、
前記チャンネルスキャンにて検出したチャンネルごとに、その検出したチャンネルの信号レベルと、放送局より送出されるチャンネル情報とを取得し記憶すると共に、その検出したチャンネルを受信チャンネルとして設定するチャンネル設定手段と、
を有し、
前記チャンネル設定手段は、受信状態により変化すると想定される前記信号レベルの所定の変動量を前記第１の閾値に加えた閾値であり前記第１の閾値よりも大きな第２の閾値が設定されており、既に設定された各受信チャンネルが、今回のチャンネルスキャンで検出されなかった場合は、検出されなかったそれぞれのチャンネルに対応する既に記憶されている信号レベルを参照して、その信号レベルが、前記第２の閾値以下の場合は、既に設定されている受信チャンネルの設定状態を維持する受信チャンネル設定手段であることを特徴とする地上デジタル放送受信機。
【発明の詳細な説明】
【技術分野】
【０００１】
本発明は、チャンネルスキャンを行って受信チャンネルを設定する地上デジタル放送受信機に関する。
【背景技術】
【０００２】
地上デジタル放送の開始以来、その放送エリアは拡大されてきている。地上デジタル放送を放送する放送局は放送エリアごとに異なり、使用されている電波の周波数帯域および物理チャンネルも異なる。
【０００３】
そのため、ユーザがテレビジョン受信機を購入したとき、または以前と異なる放送エリアに引っ越しをしたときは、まずユーザの居住地域をテレビジョン受信機に設定し、その後チャンネルスキャンを行ってどこの物理チャンネルでどの放送が行われているか調査する必要がある。
【０００４】
ユーザの居住地域の設定は、その地域で放送されている放送を域内放送局としてリモコンの選局ボタンに優先的に割り付けるために行われる。この地域設定には、図９に示すように都道府県レベルで選択して行う場合と、図１０に示すように都道府県内のさらに詳細な地域で選択して行う場合とがある。
【０００５】
地上デジタル放送での地域設定はほぼ図９に示す都道府県レベルで足りるが、地上アナログ放送では図１０に示すような詳細な地域割りで設定が行われるため、一度に両方の地域設定を行う場合には図１０の詳細な地域割りで設定を行う。
【０００６】
一方テレビジョン受信機には、ユーザにより選択された居住地域により、域内、域外の放送局を判別するための各地域の放送局の一覧表が保持されている。域内放送局の一覧表の一例として、関東地方の地上デジタル放送の放送局および物理チャンネルの一覧表を図１１に示す。図１１では、それぞれの地域にどのような放送局があるかを示している。
【０００７】
関東地方の場合は関東広域という概念があり、水戸以外は全て東京の放送局の放送に地元の放送局の放送を加えて視聴することが可能になっている。例えば、千葉県においては、関東広域で指定される東京の放送局（ＮＨＫ総合、ＮＨＫ教育・・・放送大学）の放送と、千葉県の放送局（千葉テレビ）の放送が域内放送局として判定される。
【０００８】
上記のようにして地域が設定され域内放送局が選定されると、選定された域内放送局の地上デジタル放送に含まれるＮＩＴ（Network Information Table）のＴＳ（Transport Stream）情報記述子に含まれるremote_control_key_idにより、この放送局がリモコンのポジションキー「１」から「１２」のキーのどこに割り付けられるかが指定される。
【０００９】
設定された地域以外の放送局は域外放送局として設定されるが、この域外放送局の放送に含まれるremote_control_key_idによるリモコンのポジションキーが既に域内放送局に割り当てられている場合は、枝番のついたチャンネル番号として記憶される。
【００１０】
以下、このチャンネル番号について説明する。地上デジタル放送でのチャンネル番号は、３桁のチャンネル番号＋１桁の枝番という４桁の数字で表される。３桁のチャンネル番号は以下のように決定される。
【００１１】
〔式１〕
サービス種別×２００＋remote_control_key_id×１０＋（サービス番号＋１）
ここで、サービス種別は、テレビ放送が「０」、第１データ放送が「１」、第２データ放送が「２」、部分受信が「３」である。また、サービス番号は、放送局が自局の放送ごとにつける番号であり、「０」から「７」まで設定可能である。このサービス番号は、１つの放送局から複数の放送を行うとき（例えば、ＳＤ（Standard  Definition）放送を３チャンネル同時に行うときなど）に使用される。
【００１２】
上記の式１のうち、「サービス種別×２００＋remote_control_key_id×１０」は左から２桁の数字を表す。ここで、サービス番号が「０」のテレビ放送の場合はこの２桁の数字＝remote_control_key_idであり、割り付けられるリモコンのポジションキーと等しい数字になる。例えば、remote_control_key_idが「１」のときは左から２桁の数字は「０１」であり、remote_control_key_idが「１０」のときは左から２桁は「１０」である。
【００１３】
また、式１のうち「サービス番号＋１」は左から３桁目の数字を表す。通常は「１」であるが、１つの放送局から複数の番組が放送されている場合にこれらを区別するため「２」、「３」・・・の番号が順に付せられる。
【００１４】
例えば、リモコンのポジションキー「１０」に対してＳＤ放送のテレビ放送が３チャンネル分放送されている場合には、サービス種別は「０」、remote_control_key_idはポジションキーの「１０」、サービス番号は「０」、「１」および「２」になるので、そのチャンネル番号は「１０１」、「１０２」、および「１０３」となる。これらは放送中にその構成が変わることがあるので、チャンネル番号が「１０１」しかないときもあれば、チャンネル番号「１０１」および「１０２」が存在するときもあり、また、チャンネル番号「１０１」、「１０２」、「１０３」、および「１０４」が存在するときもある。
【００１５】
このようにして決定される３桁チャンネル番号を、表１に示す。
【表１】
0004534896.tif 000002
【００１６】
さらに、域内放送局および域外放送局から複数の同じremote_control_key_idの放送が受信されるときは、上記の３桁番号に続いて１桁で表される枝番により域内放送局と域外放送局が区別される。この枝番は、域内放送局は「０」であり（省略されることが多い）、域外放送局は「１」から使用される。同じremote_control_key_idの域外放送局が複数あった場合には枝番「２」、「３」、「４」・・・と順に付与される。このとき、同じremote_control_key_idの域内放送局が無い場合にも、域外放送局は枝番「１」から付与される。
【００１７】
以上のようなリモコンのポジションキーの割り付けやチャンネル番号の付与に用いるためにユーザが行う地域設定の操作を簡易にするため、特許文献１には、テレビジョン受信機の初期設定時にチャンネルスキャンを行ってチャンネルごとのｃ／ｎ（carrier to noise ratio）比を検出し、ｃ／ｎ比が最も高いチャンネルの地域をユーザの居住地域として推定する技術が記載されている。
【００１８】
この技術により、ユーザが煩雑な作業をすることなく、容易にユーザの居住地域の設定を行うことが可能になるが、チャンネルスキャンについてはやはりユーザの操作により手動で行わなければならない。
【００１９】
チャンネルスキャンの動作について図１２のフローチャートを参照して説明する。まず、ユーザのテレビジョン受信機への操作によりチャンネルスキャンが開始されると、スキャン対象のチャンネルとして物理チャンネル番号「１３」のチャンネルが選局される（Ｓ３１）。これは、地上デジタル放送はＵＨＦ帯の１３チャンネルから６２チャンネルで放送されるため、物理チャンネル番号の初期値が「１３」として設定される。
【００２０】
物理チャンネル番号「１３」のチャンネルが選局されると、その物理チャンネルの地上デジタル放送が存在するかどうか判定される（Ｓ３２）。この判定は、通常、この物理チャンネルでのｃ／ｎ比が取得されることにより行われ、このｃ／ｎ比が設定された閾値（第１の閾値）以上の場合はこの物理チャンネル「１３」の地上デジタル放送が存在すると判定される（Ｓ３２の「Yes」）。ここで取得されたｃ／ｎ比の値は、判定結果とともに保存される。
【００２１】
その後、受信した地上デジタル放送の放送信号から変調方式が最も単純なＴＭＣＣ（Transmission and Multiplexing Configuration Control）情報が取得されたかどうか判定される（Ｓ３３）。ステップＳ３３で取得されたと判定されたとき（Ｓ３３の「Yes」）は、さらにＮＩＴ（Network Information Table）、ＰＡＴ（Program Association Table）、およびＰＭＴ（Program Map Table）などの複雑な変調方式が用いられている情報が取得されたかどうか判定される（Ｓ３４）。これらの情報も取得されたと判定されたとき（Ｓ３４の「Yes」）は、この物理チャンネル「１３」の地上デジタル放送が受信可能であると判定され、この物理チャンネル「１３」が登録される（Ｓ３５）。
【００２２】
ステップＳ３５で登録処理が完了したとき、ステップＳ３２の判定で地上デジタル放送が存在しないと判定されたとき（Ｓ３２の「No」）、ステップＳ３３の判定でＴＭＣＣ情報が取得されていないと判定されたとき、またはステップＳ３４の判定でＮＩＴ、ＰＡＴ、ＰＭＴなどの情報が取得されていないと判定されたとき（Ｓ３４の「No」）は、スキャン対象の物理チャンネルが「６２」であるかどうかが判定される（Ｓ３６）。ここでは物理チャンネルは「１３」であるのでステップＳ３７に遷移し（Ｓ３６の「No」）、物理チャンネル番号が１増やされ（Ｓ３７）、スキャン対象の物理チャンネル番号に「１４」が設定されてステップＳ３２に戻る。
【００２３】
このステップＳ３２からステップＳ３７の処理は、物理チャンネル番号が「６２」になるまで繰り返される。
【００２４】
ステップＳ３６において物理チャンネルが「６２」であり、全ての物理チャンネルをスキャンしたと判定されたときは（Ｓ３６の「Yes」）、チャンネルスキャンの処理が終了される。
【００２５】
上記のようにチャンネルスキャンを行うことによって、どこの物理チャンネルでどの放送局の放送が行われているかが認識される。
【００２６】
このチャンネルスキャンは、ユーザがテレビジョン受信機を購入したときまたは以前と異なる放送エリアに引っ越しをしたとき（ケース(1)）以外にも、アンテナを立て替えたとき（ケース(2)）、放送局（中継局）が開局したとき（ケース(3)）、放送局（中継局）が発信出力を増力したとき（ケース(4)）、放送局（中継局）が無くなったとき（ケース(5)）、なども、適正且つ最新の電波受信状態で視聴するためにテレビジョン受信機で行う必要があった。
【００２７】
しかし、ケース(3)〜ケース(5)の場合は、報道等でたまたまそのような情報に触れない限り、ユーザがチャンネルスキャンの必要性に気づき難いという問題があった。
【００２８】
また、ケース(1)またはケース(2)の場合は、ユーザ側の要因によりチャンネルスキャンの必要性が発生しているためユーザはその必要性を認識しやすいが、チャンネルスキャンを行うこと自体をユーザが知らない場合があるという問題があった。
【００２９】
これらの問題を解決し、常に適正且つ最新の電波受信状態で視聴可能にするため、タイマーなどの制御により自動的にテレビジョン受信機にチャンネルスキャンを行わせ、リモコンのポジションキーへの設定を更新することが考えられる。
【特許文献１】特開２００４−３１２２０４号公報
【発明の開示】
【発明が解決しようとする課題】
【００３０】
しかし、テレビジョン受信機に自動的にチャンネルスキャンを行わせることにより、閾値である受信限度付近のチャンネルはスキャンされたときの電波状態によって検出されたりされなかったりすることがあり、自動的な設定の更新によりユーザが所望のチャンネルを突然視聴することができなくなるおそれがあるという問題があった。
【００３１】
本発明は上記事情に鑑みてなされたものであり、チャンネルスキャンによりチャンネルの設定を行う際に、前回受信限度付近で検出されているチャンネルは、最新のチャンネルスキャンで検出されなくても受信可能なチャンネルとして設定を継続することができる地上デジタル放送受信機を提供することを第１の目的とする。
【００３２】
また、チャンネルスキャンにより放送信号から得られたリモコンポジションキーへの割り付けに用いられるremote_control_key_idの値が、新たに検出されたチャンネルと既に設定されているチャンネルとで同値であった場合、ユーザの意向に関係なくこのリモコンポジションキーには新たに検出されたチャンネルが置換えられて割り付けられてしまい、ユーザの視聴に支障をきたすおそれがあるという問題があった。
【００３３】
本発明は、チャンネルスキャンによりチャンネルの設定を行う際に、既にチャンネルが割り付けられているリモコンポジションキーへは、他のチャンネルを新たに割り付けないようにすることができる地上デジタル放送受信機を提供することを第２の目的とする。
【課題を解決するための手段】
【００３４】
上記目的を達成するための本発明の請求項１に記載の地上デジタル放送受信機は、所定周波数間隔の各チャンネルを選局し、その各チャンネル毎の信号レベルを検出し、その検出した信号レベルが予め設定されている所定の第１の閾値以上であるチャンネルを検出するチャンネルスキャンを実行するチャンネルスキャン手段と、チャンネルスキャンにて検出したチャンネルごとに、その検出したチャンネルの信号レベルと、放送局より送出されるチャンネル情報とを取得し記憶すると共に、その検出したチャンネルを受信チャンネルとして設定するチャンネル設定手段とを有し、チャンネル設定手段は、受信状態により変化すると想定される信号レベルの所定の変動量を第１の閾値に加えた閾値であり前記第１の閾値よりも大きな第２の閾値が設定されており、既に設定された各受信チャンネルが、今回のチャンネルスキャンで検出されなかった場合は、検出されなかったそれぞれのチャンネルに対応する既に記憶されている信号レベルを参照して、その信号レベルが、第２の閾値以下の場合は、既に設定されている受信チャンネルの設定状態を維持する受信チャンネル設定手段であることを特徴とする。
【発明の効果】
【００３６】
本発明の地上デジタル放送受信機によれば、チャンネルスキャンによりチャンネルの設定を行う際に、前回受信限度付近で検出されているチャンネルは、最新のチャンネルスキャンで検出されなくても受信可能なチャンネルとして設定が継続されるため、ユーザが以前に視聴できたチャンネルの放送が突然視聴できなくなることがあるという不都合を未然に防止することができる。
【発明を実施するための最良の形態】
【００３８】
〈第１実施形態〉
本発明の第１実施形態による地上デジタル放送受信機について、図面を参照して説明する。
【００３９】
図１は、本実施形態における地上デジタル放送受信機１０の構成を示すブロック図である。本実施形態の地上デジタル放送受信機１０は、アンテナ３０で受信した放送電波から放送信号を取得してチャンネルを選択するチューナ１１と、スクランブルのかかった放送信号のスクランブルを解除するデスクランブラ１２と、放送信号からビデオデータとオーディオデータを取得してそれぞれ送出するデマルチプレックス１３と、ビデオデータとオーディオデータを一時的に記録するデマルチプレックス用ＲＡＭ１４と、圧縮されたビデオデータをデコードするビデオデコーダ１５と、圧縮されたオーディオデータをデコードするオーディオデコーダ１６と、デコードされたビデオデータにＧＵＩ（Graphical User Interface）画面を重畳するグラフィックス１７と、これらを制御するＣＰＵ１８とを有する。
【００４０】
本実施形態における地上デジタル放送受信機１０において放送信号が受信されたときの動作について図１を参照して説明する。まず、チューナ１１においてアンテナ３０から受信された電波から放送信号が取得され、この放送信号からチャンネルが選択される。
【００４１】
取得された放送信号が有料放送等の場合にはスクランブルがかけられており、特定の認証カードなどが挿入され課金が確認されることによりデスクランブラ１２でスクランブルが解除される。また、無料放送でもスクランブルがかかっている場合があり、そのときもデスクランブラ１２でスクランブルが解除される。
【００４２】
次に、デマルチプレックス１３でスクランブルが解除された放送信号が取得され、ビデオデータとオーディオデータとに分離される。
【００４３】
分離されたビデオデータとオーディオデータとはデマルチプレックス用ＲＡＭ１４に一時的に記録された後、ビデオデータはビデオデコーダ１５に送出され、オーディオデータはオーディオデコーダ１６に送出される。
【００４４】
ビデオデコーダ１５では、圧縮されたビデオデータがデコードされ、その後グラフィックス１７でＧＵＩ画面が重畳され、映像として出力される。
【００４５】
また、オーディオデコーダ１６では、圧縮されたオーディオデータがデコードされ、音声として出力される。
【００４６】
これらのチューナ１１からオーディオデコーダ１６までの構成要素はバスによってＣＰＵ１８に接続され、その動作はＣＰＵ１８により制御される。
【００４７】
ＣＰＵ１８には、さらに、プログラムを格納するＲＯＭ１９と、プログラム実行時にＣＰＵの変数を格納するＲＡＭ２０と、チャンネルと放送局との対応付けを記憶するフラッシュメモリ２１と、時刻情報を保持するＲＴＣ（Real Time Clock）２２と、リモコンから送出された赤外線からコマンドを取得して保持するリモコンＩ／Ｆ２３と、設定された時刻をＲＴＣ２２により判断しＣＰＵ１８を操作するタイマー２４とが、バスを介して接続されて構成されている。
【００４８】
このような構成により、デマルチプレックス１３で取得されたビデオデータおよびオーディオデータ以外の情報であるＳＩ／ＰＳＩ情報やデータカルーセル情報は、デマルチプレックス用ＲＡＭに一時的に記録された後、ＣＰＵ１８により取得される。そしてＣＰＵ１８において取得されたこれらの情報は、例えばＳＩ情報であればこの情報からＥＰＧ（Electronic Program Guide）向けの情報に整理し直され、データカルーセル情報であればこの情報の中からＢＭＬ文書が抽出され、ＲＡＭ２０に記録される。
【００４９】
フラッシュメモリ２１は不揮発性のメモリであり、電源を切ってもその内容は保持されるため、どこのチャンネルにどの放送局が放送されているかはこのフラッシュメモリ２１に記憶される。
【００５０】
ＲＴＣ２２は時計であり、その内部に水晶発振器を有し自走で時刻情報を保持していても、または、放送からＳＩ情報として受信された時刻データを基に時刻情報を保持していても良い。後者の場合はＳＩ情報の中の時刻情報ＴＯＴ（Time Offset Table）がデマルチプレックス用ＲＡＭ１４からデマルチプレックス１３を経由してＣＰＵ１８で取得され、ＲＴＣ２２に保持される。いずれの場合も、ＣＰＵ１８はその時刻情報をＲＴＣ２２から取得することが可能である。
【００５１】
リモコンＩ／Ｆ２３では、リモコンから送信される赤外線によりコマンドが取得され、保持される。保持されたコマンドはＣＰＵ１８で読み取られ、リモコンのボタンが操作されたことが検知される。
【００５２】
また、図２に示すように、本実施形態においてＣＰＵ１８は、自動チャンネルスキャン手段１８ａと、チャンネル情報取得手段１８ｂと、受信チャンネル設定手段１８ｃとを有する。
【００５３】
自動チャンネルスキャン手段１８ａは、受信可能な信号レベルか否かを判別するためのｃ／ｎ比の第１の閾値を持ち、チャンネルスキャンを所定間隔で実行して第１の閾値以上のｃ／ｎ比の地上デジタル放送を受信チャンネルとして検出する。
【００５４】
チャンネル情報取得手段１８ｂは、チャンネルスキャンを実行する度に、受信チャンネルとして検出されたチャンネルごとの放送局、物理チャンネル、ｃ／ｎ比、remote_control_key_idを含むチャンネル情報を取得する。
【００５５】
受信チャンネル設定手段１８ｃは、チャンネルスキャンにて検出したチャンネルごとに、その検出したチャンネルの信号レベルと、放送局より送出されるチャンネル情報とを取得し記憶すると共に、その検出したチャンネルを受信チャンネルとして設定する。ここで、受信チャンネル設定手段１８ｃには受信状態により変化すると想定される信号レベルの所定の変動量を第１の閾値に加えた第２の閾値が設定されており、既に設定された各受信チャンネルが、今回のチャンネルスキャンで検出されなかった場合は、検出されなかったそれぞれのチャンネルに対応する既に記憶されている信号レベルを参照して、その信号レベルが第２の閾値以下の場合は既に設定されている受信チャンネルの設定状態を維持する。
【００５６】
上記の本実施形態の地上デジタル放送受信機１０における、自動チャンネルスキャン動作について図３のフローチャートを参照して説明する。
【００５７】
まず、タイマー２４に設定された時刻（本実施形態においては午前2:00）になると（Ｓ１１の「Yes」）自動チャンネルスキャン手段１８ａが起動され、ユーザによりこの地上デジタル放送受信機１０で視聴が行われているか、予約による録画がされているかが判断される（Ｓ１２）。
【００５８】
地上デジタル放送受信機１０がユーザによる視聴中、または予約録画中のようなユーザから見て電源ＯＮの状態で使用されているときは（Ｓ１２の「Yes」）チャンネルスキャンは行われず、ステップＳ１１に戻り、翌日の午前2:00まで待機される。
【００５９】
一方、ユーザから見て電源ＯＦＦの状態（機能待機状態）のときには（Ｓ１２の「No」）、チャンネルスキャンが行われる（Ｓ１３）。
【００６０】
ここで、地上デジタル放送受信機１０が機能待機状態のときには、ＣＰＵ１８はスリープ状態になっている。この機能待機状態とは、ユーザから見ると電源がＯＦＦで消費電力が少ない状態であるが、地上デジタル放送受信機１０固有の動作を行うため、裏で電源が入っている状態である。この地上デジタル放送受信機１０固有の動作とは、有料放送の情報の電話回線を使っての転送、プログラムのダウンロード、または番組表情報の取得などである。チャンネルスキャンが行われるときは、ＣＰＵ１８はスリープ状態から抜けた状態になる。
【００６１】
このステップＳ１３のチャンネルスキャンの動作自体は、図１２に示す従来の方法と同様であるため、詳細な説明は省略する。
【００６２】
チャンネルスキャンの結果、チャンネル情報取得手段１８ｂにより図４に示すような受信された放送局、物理チャンネル、その他図示しないｃ／ｎ比、remote_control_key_id、および様々な情報がチャンネル情報として取得され、テーブル形式で蓄積される。
【００６３】
次に、前回のチャンネルスキャンで取得されたチャンネル情報と、今回のチャンネルスキャンで得られたチャンネル情報とが比較され、同じかどうかが判定される（Ｓ１４）。判定の結果同じであれば（Ｓ１４の「Yes」）、再度機能待機状態になりステップＳ１１に戻る。
【００６４】
一方、ステップＳ１４の判定の結果、前回得られたチャンネル情報と異なっていれば（Ｓ１４の「No」）、前回のチャンネルスキャン時にはｃ／ｎ比が第１の閾値以上且つこの第１の閾値とは別に設定された第２の閾値以下で受信可能であると判定され、今回のチャンネルスキャンではｃ／ｎ比が第１の閾値未満で受信可能であると判定されなかったチャンネルがあるかどうかの判定が行われる（Ｓ１５）。判定の結果、該当するチャンネルがあれば、このチャンネルに関するチャンネル情報は最新のチャンネル情報に更新されずに、前回の情報が継続される（Ｓ１６）。
【００６５】
例えば、チャンネルスキャンで受信可能であると判定するためのｃ／ｎ比の第１の閾値が２５ｄＢであり、ステップＳ１５でチャンネル情報の更新の要否を判断するためのｃ／ｎ比の第２の閾値が３０ｄＢである場合について、図５を用いて説明する。
【００６６】
図５に示すように、前回のチャンネルスキャンにおいては千葉テレビのｃ／ｎ比は２６ｄＢであり、第１の閾値である２５ｄＢを超えているため受信可能であると判定されているが、今回は受信可能であると判定されていない。しかし、前回、千葉テレビは第２の閾値である３０ｄＢ以下で受信可能と判定されており、つまり判定ラインである２５ｄＢ近くで検出されていたことがわかる。
【００６７】
そのため、今回受信可能であると判定されなかった原因はたまたま受信状態が良くなかったことによる可能性もあるとみなし、前回のチャンネル情報を継続し、新たにテーブルを更新しないこととするものである。
【００６８】
次に、ステップＳ１６で前回のチャンネル情報が継続されたチャンネル以外で前回と異なるチャンネル情報がある場合は、最新のチャンネル情報に更新される（Ｓ１７）。
【００６９】
また、ステップＳ１５の判定の結果、該当するチャンネルがなければ（Ｓ１５の「No」）、最新のチャンネル情報に更新される（Ｓ１８）。
【００７０】
ステップＳ１７またはステップＳ１８による更新が行われると、受信チャンネル設定手段１８ｃにより、更新されたチャンネル情報を基に地上デジタル放送受信機１０の受信チャンネルが設定される（Ｓ１９）。
【００７１】
受信チャンネルの設定が行われると、更新により以前と異なる設定内容があるときにその内容をユーザに知らせるためのフラグがＯＮにされる（Ｓ２０）。このフラグは、ユーザにより次回電源が入れられたときに読み込まれ、フラグがＯＮになっているときは以前と異なる設定内容を知らせるための表示が画面に出力される。
【００７２】
この表示の例として、新たに受信可能となったチャンネルがあることを知らせる表示が画面に出力された状態を図６に示す。図６は、物理チャンネル番号「１８」、リモコンポジションキー「３」、３桁チャンネル番号「０３１」である「テレビ神奈川」が新たに受信可能になったことをユーザに知らせるものである。
【００７３】
以上の第１実施形態によれば、チャンネルスキャンによりチャンネルの設定を行う際に、以前に受信限度付近で検出されてリモコンのポジションキーに割り付けられているチャンネルは、最新のチャンネルスキャンで検出されなくてもその割り付けの設定が継続されるため、ユーザが以前に視聴できたチャンネルの放送が突然視聴できなくなるような不都合を解消することができる。
【００７４】
また、新たにチャンネルが受信可能になったときなど、以前とチャンネル情報が異なる場合に画面を用いてユーザに知らせるため、ユーザは常に最新のチャンネル情報を把握することができる。
【００７５】
〈第２実施形態〉
本発明の第２実施形態による地上デジタル放送受信機について説明する。本実施形態の地上デジタル受信機の構成、および放送信号が受信されたときの動作について第１実施形態と同様な部分は詳細な説明は省略する。
【００７６】
異なる部分は、受信チャンネル設定手段１８ｃが、既に設定された各受信チャンネルに割り当てられているそれぞれのremote_control_key_idと同値のremote_control_key_idを含む番組情報を送出するチャンネルが今回のチャンネルスキャンで検出された場合は今回検出したチャンネルは受信チャンネルとして設定せず、このチャンネル以外に今回のチャンネルスキャンで新たに受信チャンネルとして検出されたチャンネルは、その検出したチャンネルの、放送局より送出されるremote_control_key_idを含むチャンネル情報を取得し記憶すると共に、前記remote_control_key_idをその検出したチャンネルに割り当てて受信チャンネルとして設定する機能を持つことである。
【００７７】
本実施形態の地上デジタル放送受信機における、自動チャンネルスキャン動作について図７のフローチャートを参照して説明する。
【００７８】
図７において、ステップＳ２１〜ステップＳ２４の動作は、第１実施形態における図３のステップＳ１１〜ステップＳ１４と同様であるため詳細な説明は省略する。
【００７９】
ステップＳ２４の判定の結果、今回得られたチャンネル情報が前回得られたチャンネル情報と異なるときは（Ｓ２４の「No」）、受信可能なチャンネルが新たに増加したかどうか判定される（Ｓ２５）。新たにチャンネルが増加した場合は（Ｓ２５の「Yes」）、その増加したチャンネルの放送から取得されるremote_control_key_idの値と同値のremote_control_key_idを持つチャンネルが、既に受信可能となっているチャンネルの中にあるかどうか、さらに判定される（Ｓ２６）。
【００８０】
判定の結果、増加したチャンネルの放送から取得されるremote_control_key_idの値と同値のremote_control_key_idを持つチャンネルが既に受信可能となっているチャンネルの中にある場合（Ｓ２６の「Yes」）は、受信チャンネル設定手段１８ｃにより、このremote_control_key_idによるリモコンポジションキーへのチャンネルの割り当ては更新されず、前回のチャンネルの割り当てが継続される（Ｓ２７）。
【００８１】
例えば、前回のチャンネルスキャンと今回のチャンネルスキャンとで、異なるチャンネルで同じremote_control_key_idが取得された場合について、図８を参照して説明する。
【００８２】
図８に示すように、今回のチャンネルスキャンにおいて新たに「テレビ埼玉」が検出されており、そのremote_control_key_idは「３」である。しかし、このremote_control_key_id「３」は、前回のチャンネルスキャンで検出された「テレビ神奈川」のremote_control_key_idと同値であり、「テレビ神奈川」は既にリモコンポジションキーに割り当てられている。
【００８３】
そこで、今回のチャンネルスキャンで「テレビ埼玉」は検出されたが、リモコンポジションキーの割り当ては更新されず、ユーザは以前と同一のリモコンポジションキー「３」で以前と同一のチャンネルである「テレビ神奈川」の放送を視聴できるようにする。
【００８４】
さらに、ステップＳ２７でリモコンポジションキーへの前回の割り当てが継続されたチャンネル以外で新たに増加したチャンネルがある場合は、取得されたremote_control_key_idの値を基に新たにリモコンポジションキーへ割り当てが更新される（Ｓ２８）。
【００８５】
また、ステップＳ２５で新たに増加したチャンネルがない場合（Ｓ２５の「No」）、または、ステップＳ２６で増加したチャンネルの放送から取得されるremote_control_key_idの値と同値のremote_control_key_idを持つチャンネルが既に受信可能となっているチャンネルの中にない場合（Ｓ２６の「No」）は、最新のチャンネル情報のremote_control_key_idの値を基にリモコンポジションキーへ割り当てが更新される（Ｓ２９）。
【００８６】
ステップＳ２８またはステップＳ２９によるリモコンポジションキーへの割り当てが更新されると、この更新により以前と異なる設定内容をユーザに知らせるためのフラグがＯＮにされる（Ｓ３０）。このフラグについての説明は、第１実施形態に記載のとおりである。
【００８７】
以上の第２実施形態によれば、チャンネルスキャンによりチャンネルの設定を行う際に、既にチャンネルが割り付けられているリモコンポジションキーへは他のチャンネルを新たに割り付けないようにするため、リモコンポジションキーに割り付けられるチャンネルが自動的に変わってしまうことによりユーザの視聴に支障をきたすという不都合を解消することができる。
【００８８】
また、１つのリモコンポジションキーに２つ以上のチャンネルが割り当てられるような複雑な設定を回避し、ユーザに使いやすい設定にすることができる。
【００８９】
上記の第１実施形態および第２実施形態においては、ステップＳ１１またはステップＳ１２において設定された時刻になったかどうかの判定はタイマーを用いて行われているが、これには限定されず、消費電力の低いマイコンにより設定された時刻の直前（例えば、午前２時の３０秒前など）になると受信機全体の電源が入れられステップＳ１２またはステップＳ２２以降の処理が行われるようにしてもよい。この場合、ＣＰＵは通常のプログラム動作を行うが、ユーザからは電源ＯＦＦのままに見える。
【００９０】
また、第１実施形態および第２実施形態においてはステップＳ１２およびステップＳ２２でユーザ操作や予約動作が行われていた場合、次の日の午前2:00に再度チャンネルスキャンを実行可能かどうか判定するが、これには限定されず、同日の１０分後にリトライしたり、またはユーザにより電源がＯＦＦにされ機能待機状態になったときにチャンネルスキャンを実行するようにしてもよい。
【００９１】
また、第１実施形態および第２実施形態においては毎日午前2:00にチャンネルスキャンが実行可能かどうか判定しているが、１週間に１回や毎日４回など、特定の間隔で行われれば間隔の大きさは限定されない。また、午前2:00および午前4:00等、不定間隔でもよい。
【図面の簡単な説明】
【００９２】
【図１】本発明の第１実施形態における地上デジタル放送受信機を示すブロック図である。
【図２】本発明の第１実施形態における地上デジタル放送受信機のＣＰＵの機能を示すブロック図である。
【図３】本発明の第１実施形態における地上デジタル放送受信機の動作を示すフローチャートである。
【図４】本発明の第１実施形態における地上デジタル放送受信機で実行されたチャンネルスキャンの結果の一例を示す表である。
【図５】本発明の第１実施形態における地上デジタル放送受信機で実行されたチャンネルスキャンの結果の一例を示す表である。
【図６】本発明の第１実施形態における地上デジタル放送受信機で実行されたチャンネルスキャンにより変更された設定内容が画面に出力された状態を示す表示例である。
【図７】本発明の第２実施形態における地上デジタル放送受信機の動作を示すフローチャートである。
【図８】本発明の第２実施形態における地上デジタル放送受信機で実行されたチャンネルスキャンの結果の一例を示す表である。
【図９】従来の放送受信機で用いられる地域設定の一例を示す表である。
【図１０】従来の放送受信機で用いられる地域設定の一例を示す表である。
【図１１】従来の地上デジタル放送のチャンネルの一例を示す表である。
【図１２】従来の地上デジタル放送受信機におけるチャンネルスキャン動作を示すフローチャートである。
【符号の説明】
【００９３】
１０…地上デジタル放送受信機
１１…チューナ
１２…デスクランブラ
１３…デマルチプレックス
１４…デマルチプレックス用ＲＡＭ
１５…ビデオデコーダ
１６…オーディオデコーダ
１７…グラフィックス
１８…ＣＰＵ
１８ａ…自動チャンネルスキャン手段
１８ｂ…チャンネル情報取得手段
１８ｃ…受信チャンネル設定手段
１９…ＲＯＭ
２０…ＲＡＭ
２１…フラッシュメモリ
２２…ＲＴＣ
２４…タイマー
３０…アンテナ
【図１】
0004534896.tif 000003
【図２】
0004534896.tif 000004
【図３】
0004534896.tif 000005
【図４】
0004534896.tif 000006
【図５】
0004534896.tif 000007
【図６】
0004534896.tif 000008
【図７】
0004534896.tif 000009
【図８】
0004534896.tif 000010
【図９】
0004534896.tif 000011
【図１０】
0004534896.tif 000012
【図１１】
0004534896.tif 000013
【図１２】
0004534896.tif 000014